(57)【特許請求の範囲】
【請求項１】
来訪者を撮像するカメラと、夜間照明用のＬＥＤと、来訪者が居住者を呼び出すための呼出ボタンと、来訪者が居住者と通話するためのマイク及びスピーカとを有するカメラ付ドアホン子機であって、
前記呼出ボタンは、カメラ付ドアホン子機ケースに固定するための固定部と、呼出信号を発生させるためのスイッチ機構に係合する係合部と、押下操作を可能とする弾性片と、通電状態であることを発光表示する通電表示部とを備えた光透過性の合成樹脂で作製された呼出ボタン部材に一体に形成されて、
前記ＬＥＤは前記呼出ボタン背部に配置され、
前記固定部が前記呼出ボタン部材の上端に配置されると共に前記呼出ボタンは下端に配置され、前記固定部と前記呼出ボタンとは左右端部が前記弾性片により連結される一方、前記通電表示部は前記左右の弾性片の間であって前記固定部に一体に形成されて成ることを特徴とするカメラ付ドアホン子機。
【請求項２】
前記呼出ボタンの背面はダイヤカットが施され、ＬＥＤの発する光が拡散して透過することを特徴とする請求項１記載のカメラ付ドアホン子機。
【発明の詳細な説明】
【技術分野】
【０００１】
本発明は、玄関ドア付近に設置されて居住者を呼び出すためのカメラ付ドアホン子機に関し、詳しくは夜間でもカメラによる来訪者の撮像を可能とするために設けた照明の配置を改良したカメラ付ドアホン子機に関する。
【背景技術】
【０００２】
玄関ドア付近に設置されて居住者を呼び出すためのカメラ付ドアホン子機は、夜間でも来訪者を撮像できるように照明としてＬＥＤを内蔵したものが普及している。この場合、ＬＥＤ設置部から雨水が浸入することが無いように、カメラを保護するために設けられているカメラカバー内にＬＥＤを収容したものが普及している。
ところが、カメラカバー内にＬＥＤを配置した場合、ＬＥＤが発する光がカメラカバーに反射してカメラに映り込んでしまう状況が発生してしまうため、これを防止するためにカメラとＬＥＤの間にリブ等の遮蔽部材を設けて映りこみを防止していた（例えば、特許文献１参照）。
【先行技術文献】
【特許文献】
【０００３】
【特許文献１】特許第２０７１０２５号公報
【発明の概要】
【発明が解決しようとする課題】
【０００４】
居住者の希望としては、来訪者の顔を確認し易いように来訪者にカメラを見ることを望むが、従来のカメラ付ドアホン子機は上述したようにカメラとＬＥＤが接近して設置されているため、来訪者としてはＬＥＤの光が眩しくカメラを直視し辛かった。また、カメラカバーの反射によるカメラへの映りこみを防止するために別途リブ等を設けていたため、構成が複雑化し部品点数が増えていた。
【０００５】
そこで、本発明はこのような問題点に鑑み、照明をカメラカバー内から外部へ移動させても別途カバー等を必要とせず、部材の削減が可能なカメラ付ドアホン子機を提供することを目的としている。
【課題を解決するための手段】
【０００６】
上記課題を解決する為に、請求項１の発明は、来訪者を撮像するカメラと、夜間照明用のＬＥＤと、来訪者が居住者を呼び出すための呼出ボタンと、来訪者が居住者と通話するためのマイク及びスピーカとを有するカメラ付ドアホン子機であって、呼出ボタンは、カメラ付ドアホン子機ケースに固定するための固定部と、呼出信号を発生させるためのスイッチ機構に係合する係合部と、押下操作を可能とする弾性片と、通電状態であることを発光表示する通電表示部とを備えた光透過性の合成樹脂で作製された呼出ボタン部材に一体に形成されて、ＬＥＤは呼出ボタン背部に配置され、固定部が呼出ボタン部材の上端に配置されると共に呼出ボタンは下端に配置され、固定部と呼出ボタンとは左右端部が弾性片により連結される一方、通電表示部は左右の弾性片の間であって固定部に一体に形成されて成ることを特徴とする。
この構成によれば、呼出ボタンの背部にＬＥＤを配置するため、別途照明取付エリアを確保することなくカメラから離して設置することができ、眩しさを軽減できる。そして、カメラとＬＥＤを離して設置できるため、カメラへの映りこみを防止する部材が必要無くなる。また、呼出ボタンがＬＥＤのカバー部材となるので、ＬＥＤに別途カバー部材を設ける必要がない。
また、呼出ボタンを備えた呼出ボタン部材が、ＬＥＤと通電表示部の発光部と双方のカバーとして機能するため、部材を削減できる。更に、弾性片を備えるので別途弾性部材を必要としない。
更に、通電表示部は固定部に一体に形成されるので、呼出ボタンが押下操作されて前後動しても連動して前後動するようなことが無く、通電表示部を呼出ボタンの近くに配置しても通電表示部の発光状態が不安定になるようなことがない。
【０００７】
請求項２の発明は、請求項１に記載の構成において、呼出ボタンの背面はダイヤカットが施され、ＬＥＤの発する光が拡散して透過することを特徴とする。
この構成によれば、ＬＥＤの光が拡散するため、カメラの撮像範囲全体にわたって光を照射させることができ、見やすい映像の撮像が可能となる。また、ダイヤカットによりＬＥＤが外部から視認し難くなり、外観上も好ましい。
【発明の効果】
【０００９】
本発明によれば、呼出ボタンの背部にＬＥＤを配置するため、別途照明取付エリアを確保することなくカメラから離して設置することができ、眩しさを軽減できる。そして、カメラへの映りこみを防止する部材が必要無くなる。また、呼出ボタンがＬＥＤのカバー部材となるので、ＬＥＤに別途カバー部材を設ける必要がない。
【図面の簡単な説明】
【００１０】
【図１】本発明に係るカメラ付ドアホン子機の一例を示す正面図である。
【図２】図１のＡ−Ａ線縦断面説明図である。
【図３】呼出ボタンを形成した呼出ボタン部材を示し、（ａ）は正面図、（ｂ）は斜視図、（ｃ）は背面斜視図である。
【図４】呼出ボタン部材とＬＥＤを組み付けた基板の関係を示す説明図であり、（ａ）は分離した状態、（ｂ）は組み付け状態を示している。
【発明を実施するための形態】
【００１１】
以下、本発明を具体化した実施の形態を図面を参照して詳細に説明する。図１は本発明に係るカメラ付ドアホン子機の正面図を示し、１は呼出ボタン、２は来訪者を撮像するためのカメラ、３はマイク、４はスピーカ、５は通電状態を表示する通電表示部、６は明るさを検知する照度センサーであり、カメラ２の前面はカメラカバー７で覆われている。
【００１２】
図２は図１のＡ−Ａ線断面の説明図を示している。図２において、８は夜間等暗い時に来訪者を撮像できるよう点灯する高輝度の照明用ＬＥＤであり、呼出ボタン１背部に呼出ボタン１に収容されるよう配置され、呼出ボタン１は夜間の照明灯を兼ねている。また、カメラ付ドアホン子機のケース１０は、表側に配置されるケース上１０ａと、後側に配置されるケース下１０ｂとで構成され、ケース上１０ａの前面は化粧板としてのパネル１１が覆設される。尚、１０ｃは壁面に取り付ける際に使用する基台である。
【００１３】
呼出ボタン１は、通電表示部等を備えた呼出ボタン部材１２に一体に形成され、図３はこの呼出ボタン部材１２を示している。図３（ａ）は正面図、（ｂ）は斜視図、図３（ｃ）は背面斜視図であり、呼出ボタン部材１２は略四角形に形成され、光を透過する略透明の合成樹脂により形成されている。
呼出ボタン部材１２は、呼出ボタン１、通電表示部５に加えて、呼出ボタン１の押下操作を可能とする弾性片１４、ケース上１０ａに固定する固定部１５を備えている。
【００１４】
呼出ボタン１と固定部１５とは、呼出ボタン部材１２の下辺と上辺を構成するよう分離して配置され、双方とも横長に形成されている。そして、左右に設けた弾性片１４，１４により両者は連結され、呼出ボタン１と固定部１５とで挟まれた空間に通電表示部５が配置されている。
【００１５】
具体的に、呼出ボタン１は長方形の箱状に形成され、ケース上１０ａに露出する操作面１ａが前方に突出して形成されている。また、基部周囲には雨水の浸入を防止するための止水枠１８が形成され、背部空間は照明用ＬＥＤ８収容部となり、基板９に組み付けられた照明用ＬＥＤ８が収容される。また、操作面１ａの背面１ｂはダイヤカットが施され、照明用ＬＥＤ８の発する光が拡散するよう形成されている。
更に、呼出ボタン１裏面の中央下部には呼出スイッチ２２（図４に示す）に当接する係合部としてのＴ字状突起１ｃが形成されている。
尚、背面１ｂと照明用ＬＥＤ８の間には所定の隙間が設けられ、呼出ボタン１の押下操作により照明用ＬＥＤ８に接触しないよう構成されている。
【００１６】
固定部１５は、ケース上１０ａにネジ止めするための透孔１９を有するネジ止め部１５ａが左右に設けられ、左右のネジ止め部１５ａ，１５ａの間にはブリッジ片１５ｂが掛け渡されている。このブリッジ片１５ｂはスピーカ４の背部を支持する支持部材を構成している。
【００１７】
通電表示部５は、固定部１５から垂下するように形成された板状の通電表示部形成片２０上に設けられ、呼出ボタン１と略同一の高さを有する棒状の表示突起２０ａの先端に設けられている。この表示突起２０ａの背部に配置される基板９には、表示灯２３（図４に示す）が配置される。
通電表示部５は、ケース上１０ａに開口形成された表示窓から露出し、前方から視認することができる。
【００１８】
図４は基板９と呼出ボタン部材１２との関係を示している。図４（ａ）は分離した状態、図４（ｂ）はケース１０に双方を組み付けた状態の関係を示している。基板９には、照明用ＬＥＤ８に加えて呼出ボタン１の押下によりオン動作して呼出信号を生成させる呼出スイッチ２２や、ドアホン子機が通電されている状態で常時発光するＬＥＤから成る表示灯２３、更に通話するための音響回路（図示せず）等が組み付けられており、ケース上１０ａにネジ止め固定される。
【００１９】
こうして形成されたカメラ付ドアホン子機は、呼出ボタン１が押下されると、照度センサー６により明るさが検知されて、別途設けられているＣＰＵにより撮像のための照度が不足していると判断されたら照明用ＬＥＤ８が点灯する。この点灯による光は呼出ボタン１を通過して前方を照らす。尚、呼出ボタン１が押下されたら、呼出信号が生成されて別途設けられているドアホン親機に対して伝送され、呼び出しが行われる作用は従来と同様であり、ここでは説明を省略する。
【００２０】
このように、呼出ボタン１の背部に照明用ＬＥＤ８を配置するため、別途照明取付エリアを確保することなくカメラ２から離して設置することができ、来訪者がカメラ２を見ても眩しさを軽減できる。そして、照明用ＬＥＤ８の光がカメラ２へ映り込むのを防止する部材が必要無くなる。また、呼出ボタン１自体が防水用のカバー部材になるので、照明用ＬＥＤ８に別途カバー部材を設ける必要がない。
更に、呼出ボタン１の背面１ｂがダイヤカットされていることで照明用ＬＥＤ８の光が拡散するため、カメラ２の撮像範囲全体にわたって光を照射させることができ、見やすい映像の撮像が可能となるし、照明用ＬＥＤ８が外部から視認し難くなり、外観上も好ましい。
また、呼出ボタン１を備えた呼出ボタン部材１２が、照明用ＬＥＤ８と通電表示部５の双方のカバーとして機能するため、部材を削減できる。更に、弾性片１４を備えるので別途弾性部材を必要としない。
また、通電表示部５は固定部１５に連続形成されるので、呼出ボタン１が押下されて前後動しても連動して前後動するようなことが無く、通電表示部５を呼出ボタン１の近くに配置しても、通電表示部５の発光状態が不安定になるようなことがない。
【００２１】
尚、上記実施形態では、呼出ボタン１と照明用ＬＥＤ８とを独立してケース上１０ａに固定しているが、照明用ＬＥＤ８と呼出ボタン１とを一体化して、呼出ボタン１が押下操作されて前後動したら照明用ＬＥＤ８を連動させても良い。この場合、呼出ボタン１と照明用ＬＥＤ８の間に所定の空間を設ける必要がない。
【符号の説明】
【００２２】
１・・呼出ボタン、１ｃ・・Ｔ字状突起（係合部）、２・・カメラ、５・・通電表示部、８・・照明用ＬＥＤ（ＬＥＤ）、９・・基板、１０・・ケース、１２・・呼出ボタン部材、１４・・弾性片、１５・・固定部、２２・・呼出スイッチ（スイッチ機構）、２３・・表示灯。
【図１】
0005653300.tif 000002
【図２】
0005653300.tif 000003
【図３】
0005653300.tif 000004
【図４】
0005653300.tif 000005